(57)【要約】      （修正有）【課題】構造の安全性が増加し、運動しているときのユーザの身体の安定性が増加する揺動式健康機を提供する。【解決手段】その底部には、前脚２１と、後脚２２と、が設けられ、その前に支持チューブ２３の中段が固定され、支持チューブには、上に延びるハンドルが二つ設けられるベースフレーム２０と、その中央にポスト３１が二つ設けられ、二つのポストに保護マスクをカバーすることができるマスク状円盤３０と、該マスク状円盤を取り囲み、マスク状円盤と共にベースフレームの上面をカバーし、ベースフレームの上面に直接に固定される円弧状チューブ３２と、一端が二つのポストにそれぞれ枢着され、他端に連接座４１が結合され、各連接座の底面に長形ローラ４２が設けられ、長形ローラが円弧状チューブに当接して転がり可能であり、連接座と結合する一端にラグ４０１が設けられ、各ラグに貫通孔２３３が設けられる二つのカンチレバー４０とを含む。【選択図】図１
0003164225.tif 000002
【実用新案登録請求の範囲】
【請求項１】
その底部には、前脚と、後脚と、が設けられ、その前に支持チューブの中段が固定され、前記支持チューブには、上に延びるハンドルが二つ設けられ、その前にＣ字形を呈する固定部が設けられ、前記固定部の底端にねじ穴が設けられ、前記支持チューブの中段に貫通孔が設けられ、前記固定部の前記ねじ穴と前記支持チューブの前記貫通孔とに接合ロッドを挿通すると、前記支持チューブが固定されるベースフレームと、
その中央にポストが二つ設けられ、前記二つのポストに保護マスクをカバーすることができるマスク状円盤と、
前記マスク状円盤を取り囲み、前記マスク状円盤と共に前記ベースフレームの上面をカバーし、前記ベースフレームの上面に直接に固定される円弧状チューブと、
一端が前記二つのポストにそれぞれ枢着され、他端に連接座が結合され、前記各連接座の底面に長形ローラが設けられ、前記長形ローラが前記円弧状チューブに当接して転がり可能であり、前記連接座と結合する一端にラグが設けられ、前記各ラグに貫通孔が設けられ、連結具が前記二つの貫通孔を挿通して連結し、これにより、前記二つの連接座は、結合され、同じ方向へ揺動可能であり、なお、前記連結具を取外すと、前記二つの連接座は相違する方向へ揺動可能である二つのカンチレバーと、
を含み、
前記前脚と前記後脚と前記支持チューブとにより、前記ベースフレームが床面からある距離に上げられることを特徴とする揺動式健康機。
【請求項２】
前記円弧状チューブの二つの末端に止めブロックがそれぞれ設けられ、前記止めブロックにより、前記連接座の底面に設けられる前記長形ローラの前記円弧状チューブからの離脱を防止できることを特徴とする、請求項１に記載の揺動式健康機。
【請求項３】
前記各カンチレバーの一端に枢着穴が設けられ、前記マスク状円盤にある前記二つのポストのうちの一つが前記枢着穴を挿通して固定具と接合し、これにより、前記マスク状円盤に前記カンチレバーが枢着されることを特徴とする、請求項１に記載の揺動式健康機。
【考案の詳細な説明】
【技術分野】
【０００１】
本考案は、健康機に関し、特に、ユーザは跪いて腰を揺動可能な揺動式健康機に関するものである。
【背景技術】
【０００２】
健康機の種類は色々あり、揺動式健康機も少なくないが、変化性、安全性及び快適性が強く要請される現在では、従来の揺動式健康機は改善する必要がある。
【０００３】
図５を参照する。図５は出願者から提案した従来の揺動式健康機の組合済み状態の斜視図である。このような揺動式健康機は、ベースフレーム１を有し、ベースフレーム１には、前揺動構造２と、後揺動構造３と、が設けられる。前揺動構造２は、更に、ハンドル４を含む。後揺動構造３は、更に、受け座５を含む。このような揺動式健康機によれば、アームと太ももとを揺動することができる。しかし、受け座５がカンチレバーと連接し、前記カンチレバーによりユーザの全部の体重が支持されるため、安全性が良くない。前記カンチレバーが回動しているときには、ユーザの身体が揺れ、前記カンチレバーも上下に揺れるため、快適性が降下する。このような揺動式健康機は、アームと太ももとを揺動することしかできないため、変化性が乏しい。
【０００４】
図６を参照する。図６は出願者から提案した従来の別の揺動式健康機の組合済み状態の斜視図である。このような揺動式健康機は、ベースフレーム１０を含み、ベースフレーム１０の底部には、前脚１１と、後脚１２と、が設けられ、ベースフレーム１０の前には、組付具１３と、マスク状円盤１４と、筐体構成用チューブ１５と、が設けられ、組付具１３に二つのハンドル１３１、１３２が組み付けられる。マスク状円盤１４と筐体構成用チューブ１５とはベースフレーム１０の上面に固定される。二つのカンチレバー１６は、枢着端がそれぞれ二つのポストに枢着され、自由端に受け座１７が結合され、受け座１７の底面に長形ローラが設けられ、前記長形ローラが筐体構成用チューブ１５に押付ける。二つのカンチレバー１６の自由端には、二つの受け座１７を結合する連結具１８が設けられる。筐体構成用チューブ１５と前脚１１と後脚１２とにより、構造の安全性が増加するが、ハンドル１３１、１３２が架渡し状態であるため、ハンドル１３１、１３２を握って運動しているときには、ユーザの身体が不安定である問題があった。
【考案の概要】
【考案が解決しようとする課題】
【０００５】
本考案の主な目的は、構造の安全性が増加し、運動しているときのユーザの身体の安定性が増加する揺動式健康機を提供することにある。
【課題を解決するための手段】
【０００６】
本考案の揺動式健康機によると、その底部には、前脚と、後脚と、が設けられ、その前に支持チューブの中段が固定され、前記支持チューブには、上に延びるハンドルが二つ設けられ、その前にＣ字形を呈する固定部が設けられ、前記固定部の底端にねじ穴が設けられ、前記支持チューブの中段に貫通孔が設けられ、前記固定部の前記ねじ穴と前記支持チューブの前記貫通孔とに接合ロッドを挿通すると、前記支持チューブが固定されるベースフレームと、
その中央にポストが二つ設けられ、前記二つのポストに保護マスクをカバーすることができるマスク状円盤と、
前記マスク状円盤を取り囲み、前記マスク状円盤と共に前記ベースフレームの上面をカバーし、前記ベースフレームの上面に直接に固定される円弧状チューブと、
一端が前記二つのポストにそれぞれ枢着され、他端に連接座が結合され、前記各連接座の底面に長形ローラが設けられ、前記長形ローラが前記円弧状チューブに当接して転がり可能であり、前記連接座と結合する一端にラグが設けられ、前記各ラグに貫通孔が設けられ、連結具が前記二つの貫通孔を挿通して連結し、これにより、前記二つの連接座は、結合され、同じ方向へ揺動可能であり、なお、前記連結具を取外すと、前記二つの連接座は相違する方向へ揺動可能である二つのカンチレバーと、
を含み、
前記前脚と前記後脚と前記支持チューブとにより、前記ベースフレームが床面からある距離に上げられることを特徴とする。
【０００７】
本考案の揺動式健康機によると、前記円弧状チューブの二つの末端に止めブロックがそれぞれ設けられ、前記止めブロックにより、前記連接座の底面に設けられる前記長形ローラの前記円弧状チューブからの離脱を防止できることを特徴とする。
【０００８】
本考案の揺動式健康機によると、前記各カンチレバーの一端に枢着穴が設けられ、前記マスク状円盤にある前記二つのポストのうちの一つが前記枢着穴を挿通して固定具と接合し、これにより、前記マスク状円盤に前記カンチレバーが枢着されることを特徴とする。
【考案の効果】
【０００９】
本考案の揺動式健康機によれば、構造の安全性が増加し、運動しているときのユーザの身体の安定性が増加するという効果を有する。
【図面の簡単な説明】
【００１０】
【図１】本考案の一実施例の分解斜視図である。
【図２】本考案の一実施例の組合済み状態の斜視図である。
【図３】本考案の一実施例の第１の運動状態を示す模式図である。
【図４】本考案の一実施例の第２の運動状態を示す模式図である。
【図５】出願者から提案した従来の揺動式健康機の組合済み状態の斜視図である。
【図６】出願者から提案した従来の別の揺動式健康機の組合済み状態の斜視図である。
【考案を実施するための最良の形態】
【００１１】
以下、本考案の実施の形態を図面に基づいて説明する。
まず、図１乃至図４を参照する。本考案の一実施例の揺動式健康機は、ベースフレーム２０と、マスク状円盤３０と、円弧状チューブ３２と、二つのカンチレバー４０と、を含む。
【００１２】
ベースフレーム２０は、その底部には、前脚２１と、後脚２２と、が設けられ、その前に支持チューブ２３の中段が固定され、支持チューブ２３には、上に延びるハンドル２３１、２３２が設けられる。前脚２１と後脚２２と支持チューブ２３とにより、ベースフレーム２０が床面からある距離に上げられる。
【００１３】
マスク状円盤３０の中央にポスト３１が二つ設けられる。
【００１４】
円弧状チューブ３２は、マスク状円盤３０を取り囲み、マスク状円盤３０と共にベースフレーム２０の上面をカバーし、ベースフレーム２０の上面に直接に固定される。
【００１５】
二つのカンチレバー４０は、一端が二つのポスト３１にそれぞれ枢着され、他端に連接座４１が結合され、各連接座４１の底面に長形ローラ４２が設けられ、長形ローラ４２が円弧状チューブ３２に当接して転がり可能であり、連接座４１と結合する一端にラグ４０１が設けられ、各ラグ４０１に貫通孔４０２が設けられる。連結具４３が二つの貫通孔４０２を挿通して連結することにより、二つの連接座４１は、結合され、同じ方向へ揺動可能である。なお、連結具４３を取外すと、二つの連接座４１は相違する方向へ揺動可能である。
【００１６】
円弧状チューブ３２の二つの末端に止めブロック３２１がそれぞれ設けられ、止めブロック３２１により、連接座４１の底面に設けられる長形ローラ４２の円弧状チューブ３２からの離脱を防止できる。
【００１７】
ベースフレーム２０の前にＣ字形を呈する固定部２４が設けられ、固定部２４の底端にねじ穴２４１が設けられ、支持チューブ２３の中段に貫通孔２３３が設けられ、固定部２４のねじ穴２４１と支持チューブ２３の貫通孔２３３とに接合ロッド２５を挿通すると、ベースフレーム２０に支持チューブ２３が固定される。
【００１８】
各カンチレバー４０の一端に枢着穴４０３が設けられ、マスク状円盤３０にある二つのポスト３１のうちの一つが枢着穴４０３を挿通して固定具３１１と接合し、これにより、マスク状円盤３０にカンチレバー４０が枢着される。
【００１９】
二つのポスト３１に保護マスク３３がカバーされる。
【００２０】
図３を参照する。連結具４３が二つの貫通孔４０２を挿通して連結することにより、カンチレバー４０と連接座４１とは同じ方向へ揺動可能であり、ユーザは腰部を揺動して運動する目的を達成することができる。
【００２１】
図４を参照する。二つの貫通孔４０２から連結具４３を取外すと、カンチレバー４０と連接座４１とは相違する方向へ揺動可能であり、ユーザは膝部を運動する目的を達成することができる。
【産業上の利用可能性】
【００２２】
本考案は、健康機に適用することができる。
【符号の説明】
【００２３】
１：ベースフレーム
２：前揺動構造
３：後揺動構造
４：ハンドル
５：受け座
１０：ベースフレーム
１１：前脚
１２：後脚
１３：組付具
１４：マスク状円盤
１５：筐体構成用チューブ
１６：カンチレバー
１７：受け座
１８：連結具
２０：ベースフレーム
２１：前脚
２２：後脚
２３：支持チューブ
２４：固定部
２５：接合ロッド
３０：マスク状円盤
３１：ポスト
３２：円弧状チューブ
３３：保護マスク
４０：カンチレバー
４１：連接座
４２：長形ローラ
４３：連結具
１３１：ハンドル
１３２：ハンドル
２３１：ハンドル
２３２：ハンドル
２３３：貫通孔
２４１：ねじ穴
３１１：固定具
３２１：止めブロック
４０１：ラグ
４０２：貫通孔
４０３：枢着穴
【図１】
0003164225.tif 000003
【図２】
0003164225.tif 000004
【図３】
0003164225.tif 000005
【図４】
0003164225.tif 000006
【図５】
0003164225.tif 000007
【図６】
0003164225.tif 000008